(57)【要約】      （修正有）【課題】平滑な壁面に対して簡易、確実に固定でき、かつ容易に取り外して他の場所へ移動することができる吸盤式簡易テーブルを提供する。【解決手段】物品を載置するためのテーブル本体１０と、テーブル本体１０をガラス面２０に固定するためにテーブル本体１０に取り付けた吸盤３と、一端をテーブル本体１０の裏面に蝶番を介して回動可能に取り付け、かつ他端を吸盤４を介してガラス面２０に固定した脚部２によって構成した。【選択図】図１
0003173030.tif 000002
【実用新案登録請求の範囲】
【請求項１】
物品を載置するためのテーブル本体と、前記テーブル本体を壁面に固定するためにテーブル本体に取り付けた吸盤と、一端を前記テーブル本体に回動可能に取り付け、他端を前記壁面に着脱自在に固定した脚部とからなる吸盤式簡易テーブル。
【請求項２】
物品を載置するためのテーブル本体と、前記テーブル本体をガラス面に固定するためにテーブル本体に取り付けた吸盤と、一端を前記テーブル本体の裏面に、取付部材を介して回動可能に取り付け、かつ他端を吸盤を介して前記ガラス面に固定した脚部とからなる吸盤式簡易テーブル。
【考案の詳細な説明】
【技術分野】
【０００１】
本考案は、ガラス面等の平滑な壁面に着脱自在に取り付けることができる吸盤式簡易テーブルに関するものである。
【背景技術】
【０００２】
従来より、室内のスペースの活用のために、移動可能なテーブルが提案されていた。特許文献１に示された考案は、住宅のキッチンカウンター下や家事室などに設置して壁側に直線的な状態に設置して棚として使用し、必要に応じて左右の回転カウンターの天板を手前に回転して引き出せば、テーブルとしても使用できる回転式テーブルである。
【先行技術文献】
【特許文献】
【０００３】
【特許文献１】実用新案登録第３１４７４２２号公報
【０００４】
前記特許文献１記載の考案は、通常は壁側に設置して棚として使用し必要に応じてカウンターの天板を手前に回転してテーブルとするものであり、通常は使用しないテーブルのスペースを活用するものであった。
【０００５】
しかしながら、前記考案では、棚のスペースは確保しなければならないし、また棚またはテーブルを他の場所へ移動することは容易にできなかった。
【考案の概要】
【考案が解決しようとする課題】
【０００６】
本考案は、上記の問題点に鑑み考案されたもので、小型のテーブル本体を簡易に平滑な壁面に対して固定でき、かつ取り外して他の場所へ移動することができる吸盤式簡易テーブルを提供することを目的とする。
【課題を解決するための手段】
【０００７】
本考案の要旨とするところは、物品を載置するためのテーブル本体と、前記テーブル本体を壁面に固定するためにテーブル本体に取り付けた吸盤と、一端を前記テーブル本体に回動可能に取り付け、他端を前記壁面に着脱自在に固定した脚部とからなる吸盤式簡易テーブルである。
【０００８】
また、本考案の要旨とするところは、物品を載置するためのテーブル本体と、前記テーブル本体をガラス面に固定するためにテーブル本体に取り付けた吸盤と、一端を前記テーブル本体の裏面に、取付部材を介して回動可能に取り付け、かつ他端を吸盤を介して前記ガラス面に固定した脚部とからなる吸盤式簡易テーブルである。
【考案の効果】
【０００９】
請求項１記載の吸盤式簡易テーブルによれば、物品を載置したテーブル本体を吸盤によって壁面に着脱自在に固定できるため、テーブル本体を平滑な壁面に対して簡易に固定することは勿論、取り外して他の場所へ移動することができ使用する場所を自由に選べる。
また使用しないときには脚部を折畳んで収納もできるため、部屋や店舗のスペースを有効に使える等の効果を奏する。
【００１０】
請求項２記載の吸盤式簡易テーブルによれば、前記請求項１の効果に加えて、テーブル本体と脚部を吸盤によってガラス面に固定したため、吸盤が確実にガラス面に固定される効果によってテーブル本体がガラス面に確実に取り付けられる。
【図面の簡単な説明】
【００１１】
【図１】本考案の実施形態１の正面図である。
【図２】本考案の実施形態１の平面図である。
【図３】本考案の実施形態１の側面図である。
【図４】本考案の実施形態１の使用態様図である。
【図５】本考案の実施形態２の使用態様図である。
【考案を実施するための形態】
【００１２】
図１乃至図４に示すように、実施形態１の吸盤式簡易テーブル１は、テーブル本体１０とテーブル本体１０の裏面に、取付部材である蝶番２１を介して回動自在に取り付けた脚部２等からなる。
【００１３】
テーブル本体１０は、略長方形で中央に凹部１９を設け、表面には料理等を置くための皿載置部１１，１１を構成する。このテーブル本体１０の形状は任意であり、半円形状や縦長形状でも良い。
また飲料のコップ７を支持する支持孔１２，１２を穿設すると共に、この支持孔１２の下部にはコップ受け１３，１３を構成してある。
この皿載置部１１と支持孔１２とコップ受け１３の数、あるいは吸盤３の数はテーブル本体１０の大きさ、形状によって変更できる。
また、吸盤３は、テーブル本体１０に対して着脱自在に取り付けることもできる。
【００１４】
前記テーブル本体１０の一側端部には３個の吸盤３を構成してある。この吸盤３は、平滑な壁面であるガラス面２０の表面に固定して、テーブル本体１０をガラス面２０に水平に固定する働きをするものである。
なお平滑な壁面は、ガラス面に限らずプラスチック等の素材で表面が吸盤を使用できるものであれば良い。
【００１５】
前記脚部２の一端には、前記テーブル本体１０の裏面に、取付部材である蝶番２１を介して回動可能に取り付ける。
さらに、脚部２の他端には吸盤４を固定してあり、この吸盤４を介して前記脚部２をガラス面２０に固定することで、テーブル本体１０を確実に水平に支持するのである。なお、この脚部２はＶ字型でも良く、さらに１本に限らず複数本設けても良い。
また前記吸盤３、４の構造、機能は限定されず、本考案の実施に使用できるものであればあらゆるものが採用でき、例えばマグネット併用式のものも採用できる。
【００１６】
上記実施形態の使用に際しては、テーブル本体１０の吸盤３をガラス面２０に固定し、同時に脚部２の他端の吸盤４をガラス面２０に固定することで、テーブル本体１０を安定して水平に支持する。
【００１７】
前記テーブル本体１０の皿載置部１１に料理等の皿を置き、また支持孔１２には缶やコップ７をおいて使用する。
前記テーブル本体１０を使用しないときには、吸盤３、４をはずして脚部２を折畳んで収納する。この場合、収納時にコンパクトにするために脚部２を分割し、設置時につなぎ合わせる構造でもよい。
【００１８】
このように本実施形態においては、テーブル本体のガラス面への取り付け取り外しが簡単、確実にでき、ガラス面があればとこにでも移動して取り付けて使用することができる。
またテーブル本体の上に料理や飲料を置けるため両手が使えるので、立食パーティなどに有効である。
【００１９】
図５に示す実施形態２は、壁面２０の表面が平滑でなく吸盤３が確実に固定されない場合を示していて、このようなときは、予め壁面２０に表面が平滑なシール３１を固定して、このシール３１の表面に吸盤３を固定するのである。これにより、テーブル本体１０は壁面２０に安定して固定される。
【符号の説明】
【００２０】
１  吸盤式簡易テーブル
２  脚部
３  吸盤
４  吸盤
７  コップ
１０  テーブル本体 
１１  皿載置部
１２  支持孔
１３  コップ受け
２０  ガラス面（壁面）
【図１】
0003173030.tif 000003
【図２】
0003173030.tif 000004
【図３】
0003173030.tif 000005
【図４】
0003173030.tif 000006
【図５】
0003173030.tif 000007